(57)【要約】【課題】粘着テープをその中央部から両側方部へと、三次元曲面をなす被着面に順次貼付していくのに適した粘着テープ用剥離膜を提供する。【解決手段】この粘着テープ用剥離膜１４は、両面粘着テープ１２の一面が仮貼付される粘着テープ用剥離膜１４であって、一対の開口部２０と、一対の開口部２０の各々において一対の開口部２０間に配置される粘着テープ１２の中央部に近い側に設けられ、位置決め部材に当接される位置決め部２２と、一対の開口部２０の各々において一対の開口部２０間に配置される粘着テープ１２の中央部から遠い側に設けられ、位置決め部材が移動される移動部２４とを有する。【選択図】図１
2008037048.tif 000002
【特許請求の範囲】
【請求項１】
両面粘着テープの一面が仮貼付される粘着テープ用剥離膜であって、
一対の開口部と、
前記一対の開口部の各々において前記一対の開口部間に配置される前記粘着テープの中央部に近い側に設けられ、位置決め部材に当接される位置決め部と、
前記一対の開口部の各々において前記一対の開口部間に配置される前記粘着テープの中央部から遠い側に設けられ、位置決め部材が移動される移動部と
を具備することを特徴とする粘着テープ用剥離膜。
【請求項２】
前記一対の開口部の各々は、前記位置決め部と前記移動部との間に設けられ前記位置決め部から前記移動部への前記位置決め部材の移行を規制する規制部を有する
ことを特徴とする請求項１に記載の粘着テープ用剥離膜。
【請求項３】
請求項１又は２に記載の剥離膜と、
前記剥離膜に一面が仮貼付されている粘着テープと、
前記粘着テープの他面が仮貼付されている保護膜と
を具備することを特徴とする粘着テープ積層体。
【発明の詳細な説明】
【技術分野】
【０００１】
本発明は、両面粘着テープの一面が仮貼付される粘着テープ用剥離膜に関する。
【背景技術】
【０００２】
特許文献１には、三次元曲面をなす被着面に貼付される粘着テープが開示されている。この粘着テープ及びその剥離紙は帯状であり、一端部には位置決めピンが嵌入される円形状のピン受理開口が形成されており、他端部にはガイドロッドが挿入され摺動される長円形状のロッド受理開口が形成されている。粘着テープを貼付する際には、ピン受理開口に位置決めピンを嵌入して粘着テープの一端部を被着面に対して位置決めし、粘着テープをその一端部から他端部まで被着面に順次貼付していく。粘着テープの他端部を貼付する際には、ガイドロッドが粘着テープの他端部のロッド受理開口に挿入されて摺動され、粘着テープの他端部が被着面に対してガイドされる。
【特許文献１】特開２０００−１６０１１５号公報
【発明の開示】
【発明が解決しようとする課題】
【０００３】
特許文献１の粘着テープ及び剥離膜は、粘着テープをその一端部から他端部まで、三次元曲面をなす被着面に順次貼付していくのに適したものとなっているが、粘着テープをその中央部から両側方部へと、三次元曲面をなす被着面に順次貼付していくのに適したものとはなっていない。
【０００４】
本発明は、上記課題に着目してなされたもので、その目的とするところは、粘着テープをその中央部から両側方部へと、三次元曲面をなす被着面に順次貼付していくのに適した粘着テープ用剥離膜を提供することである。
【課題を解決するための手段】
【０００５】
本発明の第１実施態様の粘着テープ用剥離膜は、両面粘着テープの一面が仮貼付される粘着テープ用剥離膜であって、一対の開口部と、前記一対の開口部の各々において前記一対の開口部間に配置される前記粘着テープの中央部に近い側に設けられ、位置決め部材に当接される位置決め部と、前記一対の開口部の各々において前記一対の開口部間に配置される前記粘着テープの中央部から遠い側に設けられ、位置決め部材が移動される移動部とを具備することを特徴とする。
【０００６】
本発明の第２実施態様の粘着テープ用剥離膜は、前記一対の開口部の各々は、前記位置決め部と前記移動部との間に設けられ前記位置決め部から前記移動部への前記位置決め部材の移行を規制する規制部を有することを特徴とする。
【０００７】
本発明の第３実施態様の粘着テープ積層体は、第１又は第２の実施態様の剥離膜と、前記剥離膜に一面が仮貼付されている粘着テープと、前記粘着テープの他面が仮貼付されている保護膜とを具備することを特徴とする。
【発明の効果】
【０００８】
本発明の第１実施態様の粘着テープ用剥離膜では、粘着テープが貼付された剥離膜について、一対の開口部の位置決め部に夫々位置決め部材を当接させ、剥離膜を粘着テープと共に位置決めピンに沿って移動させていき、粘着テープをその中央部から両側方部へと、三次元曲面をなす被着面に順次貼付していく。この際、剥離膜の両側方部が中央側へと移動されることとなるが、開口部の移動部に位置決め部材が入り込むこととなるため、このような移動が妨げられることは少ない。このように、本実施態様の剥離膜は、粘着テープをその中央部から両側方部へと、三次元曲面をなす被着面に順次貼付していくのに適したものとなっている。
【０００９】
本発明の第２実施態様の粘着テープ用剥離膜では、規制部によって位置決め部から移動部への位置決め部材の移行が規制されるため、位置決め部材が不必要に移動部へと移行してしまうことが少なく、被着面に対する粘着テープの位置決めが確実に行われる。
【００１０】
本発明の第３実施態様の粘着テープ積層体では、保護膜から粘着テープ及び剥離膜を剥離して用いることで、第１又は第２の実施態様の粘着テープ用剥離膜の効果と同様の効果を奏する。
【発明を実施するための最良の形態】
【００１１】
以下、本発明の第１実施形態を図１乃至図５を参照して説明する。
【００１２】
本実施形態では、携帯電話機のハウジングに液晶表示パネルを固着するための両面粘着テープ用の剥離膜について説明する。
【００１３】
図１及び図２を参照し、粘着テープ積層体では、保護膜１０、粘着テープ１２、剥離膜１４が順次積層されている。本実施形態では、保護膜１０及び剥離膜１４はポリエチレンテレフタラートフィルムによって形成されており、粘着テープ１２はアクリル系粘着剤によって形成されている。
【００１４】
粘着テープ１２及び粘着テープ１２に積層されている剥離膜１４の剥離部１５は、後述する被着体の被着面に対応した長方形形状をなしている。これら長方形形状の中心線に沿う部分が粘着テープ１２及び剥離膜１４の中央部をなしている。
【００１５】
粘着テープ１２の中央部には、長方形形状の開口部１６が形成されている。そして、剥離膜１４の剥離部１５には、粘着テープ１２の開口部１６に重ねられて、中心線の位置に、中央位置決めピンが嵌入される円形状の中央開口部１８が形成されている。
【００１６】
剥離部１５の両側辺部から、夫々、保持部１９が側方へと延出されている。これら保持部１９は、粘着テープ１２には積層されていない。そして、各保持部１９には、中央側から側方側へと延びている長丸形状の側方開口部２０が形成されている。これら側方開口部２０の中央側端部は、位置決め部材としての側方位置決めピンが当接される位置決め部２２を形成しており、側方開口部２０の側方側は、側方位置決めピンが移動される移動部２４を形成している。
【００１７】
図３Ａを参照し、粘着テープ１２が被着される被着体２５の被着面２６は、所定の中心角を有する円柱状面をなしている。なお、被着面２６は、円柱状面に限らず、全体として凸形状になっていれば良く、部分的に平面があってもよい。なお、被着面２６には長方形形状の穴部２７が形成されており、この穴部２７に粘着テープ１２の開口部１６が対応する。
【００１８】
粘着テープ１２の一面を被着面２６に貼付する際には、中央位置決めピン２８及び一対の側方位置決めピン３０を被着体２５に対して適切な位置に配置する。中央位置決めピン２８は、被着面２６の穴部２７を通って配置されることとなる。そして、粘着テープ１２が被着面２６に対面されるように、剥離膜１４の中央開口部１８に中央位置決めピン２８を嵌入させ、剥離膜１４の各側方開口部２０に各側方位置決めピン３０を挿入させる。続いて、中央位置決めピン２８及び一対の側方位置決めピン３０に沿って、剥離膜１４及び粘着テープ１２を被着面２６へと移動していく。この際、各側方開口部２０の中央側端部の位置決め部２２に各側方位置決めピン３０が当接されており、被着面２６に対して粘着テープ１２が適切に位置決めされる。さらに、被着面２６に対応する形状を有する治具３２によって、剥離膜１４即ち粘着テープ１２を被着面２６に押圧して、粘着テープ１２の一面を被着面２６に貼付する。この際、剥離膜１４の両側方部が中央側へと移動され、側方位置決めピン３０が側方開口部２０の移動部２４に入り込む。この後、剥離膜１４を粘着テープ１２から剥離することで、粘着テープ１２の他面に液晶表示パネルを貼付することが可能となる。
【００１９】
従って、本実施形態の剥離膜１４は次の効果を奏する。
【００２０】
粘着テープ１２が貼付された剥離膜１４について、粘着テープ１２をその中央部から両側方部へと、三次元曲面をなす被着面２６に順次貼付していく際には、剥離膜１４の両側方部が中央側へと移動されるが、側方開口部２０の移動部２４に側方位置決めピン３０が入り込むこととなるため、このような移動が妨げられることはない。このように、本実施形態の剥離膜１４は、粘着テープ１２をその中央部から両側方部へと、三次元曲面をなす被着面２６に順次貼付していくのに適したものとなっている。
【００２１】
図４は、本発明の第２実施形態を示す。第１実施形態と同様な機能を有する構成には、同一の参照符号を付して説明を省略する。
【００２２】
本実施形態の剥離膜１４は紙によって形成されている。そして、側方開口部２０では、円形状の開口により位置決め部２２が形成されており、この円形状の開口から側方へと延びているスリットによって移動部２４が形成されている。このため、円形状の開口の側方側において、位置決め部２２から移動部２４への側方位置決めピン３０の移行を規制する規制部３４が形成されることとなる。
【００２３】
剥離膜１４及び粘着テープ１２を側方位置決めピン３０に沿って被着面２６へと移動していく際には、側方位置決めピン３０が円形状の開口である位置決め部２２に嵌合され、規制部３４による規制により移動部２４に移行しにくくなっているため、被着面２６に対して粘着テープ１２が確実に位置決めされる。そして、粘着テープ１２を被着面２６に押圧して貼付する際には、剥離膜１４の両側方部が中央側へと移動され、側方位置決めピン３０がスリット状の移動部２４に移動部２４の周辺部分を変形させつつ押し込まれる。
【００２４】
従って、本実施形態の剥離膜１４は次の効果を奏する。  
本実施形態の剥離膜１４では、規制部３４によって位置決め部２２から移動部２４への側方位置決めピン３０の移行が規制されるため、側方位置決めピン３０が不必要に移動部２４へと移行してしまうことがなく、被着面２６に対する粘着テープ１２の位置決めが確実に行われる。
【００２５】
図５は、本発明の第２実施形態の変形例を示す。本変形例では、円形状の開口から側方へと延びている細溝状の開口によって移動部２４が形成されている。本変形例でも、円形状の開口の側方側において規制部３４が形成されている。
【００２６】
本実施形態では、携帯電話機のハウジングに液晶表示パネルを固着するための両面粘着テープ用の剥離膜について説明したが、本発明は、粘着テープをその中央部から両側方部へと順次貼付していくこととなる、三次元曲面をなす被着面を有するあらゆる被着体について適用可能である。
【図面の簡単な説明】
【００２７】
【図１】本発明の第１実施形態の粘着テープ積層体を示す上面図。
【図２】本発明の第１実施形態の粘着テープ積層体を図１のＩＩ−ＩＩ線に沿って切断して示す断面図。
【図３Ａ】本発明の第１実施形態の剥離膜による被着体への粘着テープの貼付作業を説明するための作業開始時を示す断面図。
【図３Ｂ】本発明の第１実施形態の剥離膜による被着体への粘着テープの貼付作業を説明するための作業終了時を示す断面図。
【図４】本発明の第２実施形態の剥離膜の保持部を示す上面図。
【図５】本発明の第２実施形態の変形例の剥離膜の保持部を示す上面図。
【符号の説明】
【００２８】
１２…粘着テープ、１４…剥離膜、２０…開口部、２２…位置決め部、２４…移動部、３０…位置決めピン。
【図１】
2008037048.tif 000003
【図２】
2008037048.tif 000004
【図３Ａ】
2008037048.tif 000005
【図３Ｂ】
2008037048.tif 000006
【図４】
2008037048.tif 000007
【図５】
2008037048.tif 000008